(57)【要約】【課題】浴室や貯水施設等に生じる異変を検知しやすくした水揺動検知装置、浴室システム、水揺動検知方法を提供する。【解決手段】  外側からの注水を受け入れ可能な中空筒枠１０と、中空筒枠１０の内部において揺動自在に配された受圧板２０と、受圧板２０の揺動に追従してスライドするボード３０と、ボード３０を挟持するように対向配置された発光素子４１及び受光素子４２と、を備えた水揺動検知装置１００であって、ボード３０は、中空筒枠１０内に存在する水の動きによる受圧板２０の揺動に伴ってスライドし、受光素子４２によって検知される発光素子４１からの光量を変化させる、ことを特徴とする。【選択図】図１
2020052985.tif 000002
【特許請求の範囲】
【請求項１】
外側からの注水を受け入れ可能な中空筒枠と、
該中空筒枠の内部において揺動自在に配された受圧板と、
該受圧板の揺動に追従してスライドするボードと、
前記ボードを挟持するように対向配置された発光素子及び受光素子と、を備えた水揺動検知装置であって、
前記ボードは、前記中空筒枠内に存在する水の動きによる前記受圧板の揺動に伴ってスライドし、前記受光素子によって検知される前記発光素子からの光量を変化させる、
ことを特徴とする水揺動検知装置。
【請求項２】
請求項１に記載された水揺動検知装置であって、
前記ボードには、１又は複数のスリットが配設される、
ことを特徴とする水揺動検知装置。
【請求項３】
請求項２に記載された水揺動検知装置であって、
前記ボードには、複数個のスリットが並設されて、
前記発光素子の光路幅は、前記スリット幅、および、前記スリット間に存在する光遮光部の幅よりも狭い、
ことを特徴とする水揺動検知装置。
【請求項４】
入浴用の浴槽と、
前記浴槽に備え付けられて、浴槽内の水の揺動を検知する水揺動検知装置と、
前記浴槽内に入浴者が入浴した後、前記水揺動検知装置による水の揺動が所定期間検知されない場合に、介護者又は前記入浴者に報知する報知手段と、を備えた入浴システムであって、
前記水揺動検知装置は、
外側からの注水を受け入れ可能な中空筒枠と、
該中空筒枠の内部において揺動自在に配された受圧板と、
該受圧板の揺動に追従してスライドするボードと、
前記ボードを挟持するように対向配置された発光素子及び受光素子と、を備え、
前記ボードは、前記中空筒枠内に存在する水の動きによる前記受圧板の揺動に伴ってスライドし、前記受光素子によって検知される前記発光素子からの光量を変化させる、
ことを特徴とする入浴システム。
【請求項５】
外側からの注水を受け入れ可能な中空筒枠と、
該中空筒枠の内部において揺動自在に配された受圧板と、
該受圧板の揺動に追従してスライドするボードと、
前記ボードを挟持するように対向配置された発光素子及び受光素子と、を備えた水揺動検知装置を用いた水揺動検知方法であって、
前記ボードは、前記中空筒枠内に存在する水の動きによる前記受圧板の揺動に伴ってスライドし、前記受光素子によって検知される前記発光素子からの光量を変化させる、
ことを特徴とする水揺動検知方法。
【発明の詳細な説明】
【技術分野】
【０００１】  本発明は、水揺動検知装置、入浴システム及び水揺動検知方法に関する。
【背景技術】
【０００２】  浴室における高齢者や障害者等の死亡事故は、欧米諸国に比べて高温のお湯に肩まで浸かるという日本人特有の入浴方法のために、我が国では発生頻度が高いことが知られている。また、プールや貯水槽などの貯水施設においては、不慮の死亡事故等が発生しうるものとなっている。【０００３】  なお、特許文献１には、浴室内に直線偏波の電波を照射可能なアンテナ部と、電波の照射領域内の物体の動きを検知可能なセンサ部と、入出力信号の処理を行う信号処理部とを有する浴室内挙動検知装置を用いて、入浴者の挙動をセンサリングする旨が記載されている。
【先行技術文献】
【特許文献】
【０００４】
【特許文献１】特開２００４−３４８５５１号公報
【発明の概要】
【発明が解決しようとする課題】
【０００５】  浴室や貯水施設等における死亡事故を防ぐ手段として、これらをカメラ映像によって監視することが考えられるが、映像の変化を看過して事故を防げない可能性がある。【０００６】  また、特許文献１では検知ノイズが抑制されてはいるが、ノイズを完全に除去することは困難であり、検知精度には限界がある。【０００７】  本発明は、上記課題に鑑みて、水の動きを検知することにより、浴室や貯水施設等に生じる異変を検知しやすくした水揺動検知装置、浴室システム及び水揺動検知方法を提供することを目的とする。
【課題を解決するための手段】
【０００８】  本発明にかかる水揺動検知装置は、上記課題に鑑みて、外側からの注水を受け入れ可能な中空筒枠と、該中空筒枠の内部において揺動自在に配された受圧板と、該受圧板の揺動に追従してスライドするボードと、前記ボードを挟持するように対向配置された発光素子及び受光素子と、を備えた水揺動検知装置であって、前記ボードは、前記中空筒枠内に存在する水の動きによる前記受圧板の揺動に伴ってスライドし、前記受光素子によって検知される前記発光素子からの光量を変化させる、ことを特徴とする。【０００９】  また、本発明にかかる水揺動検知装置の一態様では、前記ボードには、１又は複数のスリットが配設される、ことを特徴としてもよい。【００１０】  また、本発明にかかる水揺動検知装置の一態様では、前記ボードには、複数個のスリットが並設されて、前記発光素子の光路幅は、前記スリット幅、および、前記スリット間に存在する光遮光部の幅よりも狭い、ことを特徴としてもよい。【００１１】  また、本発明にかかる水揺動検知装置の一態様では、対向配置される前記発光素子及び前記受光素子は、前記ボードのスライド方向に、少なくとも２個所の位置で並設される、ことを特徴としてもよい。【００１２】  また、本発明にかかる水揺動検知装置の一態様では、前記中空筒枠内に水が入っていない状態において、前記受光素子のうちのいずれか１つは、対向する前記発光素子からの光を受光しないように配置され、前記受光素子のうちの他の１つは、対向する前記発光素子からの光を受光するように配置される、ことを特徴としてもよい。【００１３】  また、本発明にかかる水揺動検知装置の一態様では、前記発光素子からの発光は、前記受光素子へと帯状の光路で進行し、前記中空筒枠内に水が入っていない状態において、前記帯状の光路が前記スリットおよび前記スリットが存在しない光遮光部において跨るように、前記発光素子および前記受光素子が配置される、ことを特徴としてもよい。【００１４】  また、本発明にかかる水揺動検知装置の一態様では、前記中空筒枠の端部は、前記受圧板から離れるにつれて徐々に開口面積が拡大するように形成されている、ことを特徴としてもよい。【００１５】  また本発明にかかる入浴システムは、上記課題に鑑みて、入浴用の浴槽と、前記浴槽に備え付けられて、浴槽内の水の揺動を検知する水揺動検知装置と、前記浴槽内に入浴者が入浴した後、前記水揺動検知装置による水の揺動が所定期間検知されない場合に、介護者又は前記入浴者に報知する報知手段と、を備えた入浴システムであって、前記水搖動検知装置は、外側からの注水を受け入れ可能な中空筒枠と、該中空筒枠の内部において揺動自在に配された受圧板と、該受圧板の揺動に追従してスライドするボードと、前記ボードを挟持するように対向配置された発光素子及び受光素子と、を備え、前記ボードは、前記中空筒枠内に存在する水の動きによる前記受圧板の揺動に伴ってスライドし、前記受光素子によって検知される前記発光素子からの光量を変化させる、ことを特徴とする。【００１６】  また本発明にかかる水揺動検知方法は、上記課題に鑑みて、外側からの注水を受け入れ可能な中空筒枠と、該中空筒枠の内部において揺動自在に配された受圧板と、該受圧板の揺動に追従してスライドするボードと、前記ボードを挟持するように対向配置された発光素子及び受光素子と、を備えた水揺動検知装置を用いた水道検知方法であって、前記ボードは、前記中空筒枠内に存在する水の動きによる前記受圧板の揺動に伴ってスライドし、前記受光素子によって検知される前記発光素子からの光量を変化させる、ことを特徴とする。
【発明の効果】
【００１７】  本発明によれば、水の動きを検知することにより、浴室や貯水施設等に生じる異変を検知しやすくした水揺動検知装置、浴室システム、水揺動検知方法を提供することができる。
【図面の簡単な説明】
【００１８】
【図１】  第１の実施形態にかかる水揺動検知装置の分解斜視図である。
【図２】  第１の実施形態にかかる水揺動検知装置の正断面図である。
【図３】  第１の実施形態にかかる水揺動検知装置の側断面図である。
【図４】  水に動きがあった状態の正断面図である。
【図５】  図４とは逆向きに水に動きがあった状態の正断面図である。
【図６】  第１の実施形態の変形例１の水揺動検知装置の正断面図である。
【図７】  第１の実施形態の変形例２の水揺動検知装置の正断面図である。
【図８】  第２の実施形態にかかる入浴システムの概略構成図である。
【図９】  第２の実施形態にかかる入浴システムにおける処理の一例となるフローチャートを示す図である。
【発明を実施するための形態】
【００１９】［第１の実施形態］
以下に、本発明の第１の実施形態について説明する。
【００２０】  図１〜図３に示すように、水揺動検知装置１００は、中空となる筒状の部材で構成される中空筒枠１０と、水の動きに伴う水圧を受けてスイングする受圧板２０と、受圧板２０の揺動に追従してスライドするボード３０と、発光素子４１及び受光素子４２を備えるフォトインタラプタ４０とによって構成されており、全体がカバー５０によって覆われている。なお、本明細書における「水の動き」とは、水流を意味するのみならず、圧力変化に伴う水の移動も意味するものとする。
【００２１】  中空筒枠１０は樹脂成形品であって、本実施形態では軸方向両端面が開口している。これにより、水揺動検知装置１００を浴槽やプール等の内部に設置した際は、軸方向両端面の開口から中空筒枠１０内へ水が流入し、中空筒枠１０内には常時水が存在していることになる。水に動きがある場合は、中空筒枠１０の軸方向に水が動くことになり、中空筒枠１０の軸方向と水動方向は一致する。なお、中空筒枠１０の上面中央には、受圧板２０の挿入口となる挿入スリット１１が、軸方向と直交するように形成されている。
【００２２】  中空筒枠１０の断面形状（側面視形状）は、内部に水が流入可能である限り、特に制限はない。例えば、図３等に示す正方形のほか、長方形、円形、楕円形、三角形や五角形等の多角形、星型などでも構わない。製造性や設置容易性等を鑑みれば、四角形が好ましい。
【００２３】  受圧板２０も樹脂成形品であって、扁平な薄板からなる。受圧板２０の形状も特に制限は無いが、中空筒枠１０の断面形状と相似形状であることが好ましい。中空筒枠１０内においてスムーズに揺動できるからである。また、受圧板２０の大きさ（平面積）は、できるだけ中空筒枠１０の内部空間（水動路）の断面積に近いことが好ましい。受圧板２０の平面積と水動路の断面積とがほぼ一致していれば、受圧板２０が水動路を全面的に遮蔽する。これにより、水の動きに伴う水圧を効率よく受圧板２０が受圧して、検知精度が向上する。
【００２４】  受圧板２０の上縁中央には支柱２１を有し、支柱２１の中途部には支点体２２が設けられている。支点体２２は円柱形であり、その軸方向は受圧板２０の揺動方向と一致する。受圧板２０及び支柱２１の厚みは中空筒枠１０に設けられた挿入スリット１１の開口幅（軸方向幅）よりも小さい。一方、支点体２２の直径は、挿入スリット１１の開口幅（軸方向幅）よりも大きい。したがって、受圧板２０を挿入スリット１１から中空筒枠１０内へ挿通すると、支点体２２は挿入スリット１１を通過できず中空筒枠１０の天面で受け止められることで、受圧板２０の揺動支点となる。これにより、受圧板２０は中空筒枠１０に対して揺動自在に配される。つまり、てこの原理で説明すれば、支点体２２が支点、受動板２０が水圧により揺動する力点、支柱２１の先端が作用点となる。
【００２５】  ボート３０も樹脂成形品であって、本実施形態では、所定の長さを有する扁平な薄板部材であり、ボード３０には、複数のスリット３０ａが長手方向に亘って全体的に形成されている。各スリット３０ａの大きさは全て同じであって、等間隔に並設されている。各スリット３０ａの間に存在するボード部は、光遮蔽部３０ｂとして機能する。
【００２６】  ボード３０の下縁中央には、凹部３０ｃが形成されている。そして、この凹部３０ｃ内に支柱２１の先端部を受け入れた状態で、ボード３０は中空筒枠１０の軸方向と平行に配される。換言すれば、ボード３０は水動方向と平行に配される。さらに換言すれば、ボード３０は受圧板２０の揺動方向と平行に配される。これにより、各スリット３０ａが受圧板２０の揺動方向と平行に並んでいることになる。そのうえで、受圧板２０の揺動に追従してスリットボード３０が揺動方向にスライドする。
【００２７】  なお、各図面に図示しているように、支柱２１の先端縁及び凹部３０ｃの奥縁（底縁）は平坦でも構わないが、支柱２１の先端縁と凹部３０ｃの奥縁（底縁）の少なくともいずれか一方、好ましくは双方が、円弧形であることが好ましい。これにより、受圧板２０の揺動に追従してボード３０がよりスムーズにスライド可能となる。
【００２８】  フォトインタラプタ４０は、発光素子４１からの光を受光素子４２によって受光すると電流が多く流れて電圧が低下する一方、光路が何らかの物体によって遮蔽されており、発光素子４１からの光が受光素子４２によって受光されない状態では電流が流れず電圧が上昇する回路を備えている。本実施形態では、この電圧変化によって水の動きを検知している。
【００２９】  フォトインタラプタ４０としては、上記電流回路や発光素子４１及び受光素子４２が予め組み込まれた市販品を使用できる。具体的には、電流回路を備える回路基盤４３に、発光素子４１と受光素子４２が対向配置されており、各発光素子４１及び受光素子４２がそれぞれ独立して存在するようにカバー４４によって覆われている。このカバー４４の各対向面には、発光素子４１からの光を照射し、受光素子４２によって受光するための光路スリット４４ａがそれぞれ形成されている。各光路スリット４４ａの開口幅、すなわち発光素子４１から受光素子４２に至る光路幅は、ボード３０のスリット３０ａの幅及び各光遮蔽部３０ｂの幅よりも小さい。なお、本実施形態では、一対の発光素子４１と受光素子４２を２セット有するフォトインタラプタ４０を使用している。
【００３０】  フォトインタラプタ４０は、カバー５０の天壁内面に固定された状態で、対向する発光素子４１と受光素子４２の間にボード３０が存在するように、上方から覆い被せられる。つまり、発光素子４１と受光素子４２はボード３０を挟んで対向配置され、発光素子４１から受光素子４２に至る光路（光路スリット４４ａによって幅が限定されて帯状となった光路）がボード３０によって遮断される。また、本実施形態のフォトインタラプタ４０は一対の発光素子４１と受光素子４２を２セット有することで、一対の発光素子４１と受光素子４２が、ボード３０のスライド方向に並べて二ヶ所存在している。
【００３１】  なお、本実施形態では、水に動きの無い図２に示す静水状態（初期状態）において、二ヶ所設けられた１対の素子４１・４２のうち、一方の素子４１・４２はスリットボード３０の光遮蔽部３０と対向しており、他方の素子４１・４２は光遮蔽部３０ｂとスリット３０ａに跨るように対向している。つまり、図２に示す初期状態では、一方の受光素子４１は、対向する発光素子４２からの光を受光できないが、他方の受光素子４１は、対向する発光素子４２からの光を受光できる状態となっている。
【００３２】  カバー５０も樹脂成形品であって、上部は下面が開口する箱状となっており、下部は中空筒枠１０の軸方向両端面及び下面が開口している。したがって、カバー５０によってカバーした状態では、中空筒枠１０の天壁より上方がカバー５０によって全体的に覆われるが、中空筒枠１０の軸方向両端開口はカバー５０によって覆われない。カバー５０の下縁には、係合爪５０ａが形成されている。したがって、カバー５０を中空筒枠１０に装着すると、カバー５０の係合爪５０ａが中空筒枠１０の下面と係合し、固定される。
【００３３】  次に、水揺動検知装置１００によって水の動きを検知する原理について説明する。図２に示す初期状態（静水状態）では、図面基準（以下、説明の便宜上この方向を基準として説明する）で左側の光路スリット４４ａが光遮蔽部３０ｂによって遮られていることで、受光素子４２は発光素子４１からの光を受光できない。一方、右側の光路スリット４４ａはスリット３０ａに跨っているので、受光素子４２によって発光素子４１からの光が受光されている。
【００３４】  そのうえで、水流や圧力変動が生じて中空筒枠１０内の水が移動すると、受圧板２０が水圧を受けることで、支点体２２を中心として揺動する。これに伴い、支柱２１の先端は支点体２２を中心として受圧板２０とは逆の方向に揺動する。すると、支柱２１の先端が凹部３０ｃ内に入っていることで、ボード３０が受圧板２０に追従してスライドする。これにより、各光路スリット４４ａとスリットボード３０との対向位置関係がズレることで、受光素子４２による受光状態が変化し、水の動きを電圧変化として捉えて検知することができる。
【００３５】  なお、水流等の強さと受圧板２０で受ける水圧とは比例するので、水流等が大きいほど、受圧板２０の揺動量（揺動角度）、延いてはこれに追従するボード３０のスライド量も大きくなる。これに伴い、受光素子４２は受光状態と非受光状態とを繰り返すので、この受光状態と非受光状態との繰り返し回数、すなわち電圧変化回数を計測することで、水流等の強さや水の揺れ動きも検知することもできる。
【００３６】  さらに、本実施形態では１対の素子４１・４２がボード３０のスライド方向に並んで２セット設けられていることで、水の動きの方向も検知することができる。具体的には、例えば図４に示すように水が左に移動すると、ボード３０は右にスライドする。すると、初期状態では非受光状態であった左側（一方）の受光素子４２が、初動時には受光状態となる。これに対し、初期状態では受光状態であった右側（他方）の受光素子４２は、初動時には非受光状態となる。逆に、図５に示すように水が右側に移動すると、ボード３０は左にスライドする。すると、初期状態では非受光状態であった左側（一方）の受光素子４２が、初動時には受光状態となる。これに対し、初期状態では受光状態であった右側（他方）の受光素子４２は、初動時に左側の受光素子４２が受光状態となっても、受光状態が維持されている。このように、水の動く方向によって、受光素子４２よる初動時の受光状態が異なることで、水の動く方向も検知することができる。
【００３７】  また、図６に示すように、ボード３０を円弧形にするようにしてもよい（変形例１）。この場合、ボード３０のスライド幅が、長方形状の場合よりも小さくなるので、装置のコンパクト化を図ることができる。なお、ボード３０が円弧形でも、対向する発光素子４１及び受光素子４２との間に、ボード３０が挟持される。また、ボード３０における各スリット３０ａや光遮光部３０ｂと、発光素子４１や受光素子４２との相対的な位置関係は、上述した長方形状の場合と同様になるようにしてもよい。
【００３８】  また、図７に示すように、中空筒枠１０の軸方向両端へ、先端（軸方向外方）にいくにつれて徐々に開口面積が拡大するテーパーフランジ１２を設けて、中空筒枠１０の軸方向両端部をラッパ形状とするようにしてもよい（変形例２）。これによれば、テーパーフランジ１２によって中空筒枠１０内へ水の動きが導かれやすくなるので、水の動きの検知精度を向上することができる。
【００３９】  また、水の動きの方向を検知する必要性に乏しければ、対向する発光素子４１と受光素子４２は、１対のみでも構わない。また、対向する発光素子４１と受光素子４２を並べて２対設ける場合でも、２つの受光素子４２における受光・非受光状態が双方同時に切り替わるようセットしてもよい。
【００４０】  なお、本実施形態では軸方向両端面が開口しているが、このような態様には必ずしも限定されず、少なくとも中空筒枠１０が注水を受け入れるようになっていればよく、例えば、中空筒枠１０の端面の一部が開口して水が受け入れられるようになっていればよい。
【００４１】  なお、本実施形態ではボード３０において複数のスリット３０ａや光遮光部３０ｂが配置されているが、このような態様には限定されない。ボード３０の揺動により、受光素子４２が受光する光の光量を変化させて、中空筒枠１０内の水の揺動を検知できる構造であれば、ボード３０にスリット３０ａが配設されておらずともよい。また、必ずしも、スリット３０ａが等間隔に並ばなくともよく、光遮光部３０ｂとスリット３０ａの幅が同一にならずともよいし、各スリット３０ａや各光遮光部３０ｂが同一幅で形成されなくてもよい。なお、本実施形態における２つの受光素子４２は、受光状態と非受光状態とを検出してその繰り返し回数が計測されることで水の揺動が検知されるようになっているが、必ずしもこのような態様には限定されず、例えば、１対の発光素子４１と受光素子４２が配置されて、受光素子４２が受光する光量の変化に基づいて水の揺動が検知されるようになっていてもよい。
【００４２】  なお、本実施形態の水揺動検知装置１００は、浴槽のみならず、貯水槽、貯水池、又はプールなど、水を溜めておく施設や構造物等の水の動きの検知用としても使用できる。例えば、貯水槽、貯水池、又はプールなどの貯水施設ないし構造物において、水を使用していない静水状態において水の動きが検知されれば、異物が水没したことを検知できる。また、人が水に落ちた際の水難事故の発生を回避することができる。
【００４３】［第２の実施形態］
次に、第２の実施形態にかかる入浴システム２００について説明をする。図８で示されるように、入浴システム２００は、水揺動検知装置１００と、浴槽１０１と、中継パネル部１０２と、報知手段１０４とを含んで構成される。
【００４４】  同図で示されるように、水揺動検知装置１００は、入浴者（特に高齢者や障害者）の浴槽内での事故防止用として使用できる。第２の実施形態では、水揺動検知装置１００が浴槽１０１の内壁面に埋め込まれており、水揺動検知装置１００からの信号が浴室内に存在する中継パネル部１０２に伝達される。なお、水揺動検知装置１００は、中空筒枠１０内に水が入り込む状態にできれば、設置方法は種々の方法を採用できる。具体的には、水面に浮かべるようにしてもよいし浴槽内面に取りつけるようにしてもよく、浴槽内の手すり等の介助装置に一体化させるような構成としてもよい。
【００４５】  中継パネル部１０２は、浴槽１０１付近に配置されて、追い炊きの操作等の操作パネルや音声出力部、タイマー処理部などを含んだ構成となっている。
【００４６】  そして本実施形態では、水揺動検知装置１００によって、浴槽に溜まった水（お湯）の動きによって入浴者の挙動等を検知できる。具体的には、浴槽１０１にお湯を注水している際、設定量のお湯が貯まって入浴者が入浴する際、出浴する際などの各々において、受圧板２０とボード３０の揺動が異なる態様となるため、中継パネル部１０２にて受け取る信号に基づいて入浴の状況を判断することができるようになっている。
【００４７】  浴槽１０１への注水の際、水揺動検知装置１００が水面下にある場合には、浴槽にお湯を溜めている間は水が規則的に動き続けるので、お湯を溜めている状態であることも検知できる。お湯が所定量溜まって給水が止まると、揺れが収束して静水となる。これにより、設定量のお湯が溜まったことを検知できる。なお、水揺動検知装置１００を水面に浮設する場合は、お湯の給水量（水面の高さ）に関係なく給水状態と静水状態とを検知できるメリットがある。また、水揺動検知装置１００を浴槽１０１に設置する手間も省けるというメリットもある。
【００４８】  なお、水揺動検知装置１００を浴槽１０１に設置する場合は、少なくとも最低限量のお湯を溜めた場合でも中空筒枠１０内にお湯が入り込む高さ位置に設置するとよい。お湯がある程度溜まって水面が水揺動検知装置１００の高さ位置以上にまで到達すれば、給水を止めることで静水状態となったこととを検知できる。
【００４９】  そして、静水状態から入浴者が浴槽に浸かると再度水に動きが生じるので、入浴者が入浴し始めたことを検知できる。入出浴時は、浴槽１０１の水面の変動が大きくなることから、水揺動検知装置１００の受圧板２０およびボード３０が大きく揺れることになる。また入浴者が入浴する際の受圧板２０に水圧がかかる方向と、出浴する際の受圧板２０に水圧がかかる方向とは、互いに反対方向となる傾向にあるため、第１の実施形態の水揺動検知装置１００のように２対の発光素子４１と受光素子４２を配設することで、入出浴の判断ができるようになる。
【００５０】  なお、浴槽１０１の湯舟に入浴中の場合、入浴者が緩衝体として機能するため、入浴中の水の揺れ動きは、出浴後の水の揺れ動きよりも早く収束する傾向にある。したがって、このような揺動の収束時間に基づいて入出浴の判断をするようにしてもよく、収束時間が所定時間以上となる場合に、出浴時の水の揺れの動きであると判断をするようにしてもよい。１５０リットル以上２５０リットル以下の容積となる一般家庭の浴槽であれば、入浴者がお湯に浸かって所定体勢を維持している場合に、入浴後からおよそ１分以内で静水状態になる。
【００５１】  そして、入浴者がのぼせている状態や、溺死の危険性がある状態では、浴槽１０１内での静水状態が長期間続く傾向にある。水揺動検知装置１００からの信号を受信して中継パネル部１０２において入浴者に異常があると判断された場合には、有線または無線によって接続された報知手段１０３にその旨の伝達がなされる。介護者等は、報知手段１０３からのアラームを受けて入浴者の安全確認に赴くことができるようになる。
【００５２】  具体的には、入浴者が、浴槽内で姿勢をまったく変えないことは稀であり、通常は、手足や胴体を動かしたりする。したがって第２の実施形態の入浴システム２００では、水揺動検知装置１００が、所定の期間、このような挙動による水の揺れを検知しなかった場合に、中継パネル１０２から報知手段１０３にアラームを発生させる指示を送信するようになっている。
【００５３】  図９は、第２の実施形態の入浴システム２００の処理の一例を示す図である。同図で示される入浴みまもり処理では、まず、浴槽１０２への入浴者の入浴が検知される処理（Ｓ１１１）が実行される。本実施形態では、注水の検知後、予め定められた閾値および期間を超えるような大きな水の揺れを検知することで、入浴の検知がなされる。
【００５４】  その後、Ｓ１１２では、水の揺動が収束したことを検知する処理がなされる。ここでいう収束とは、浴槽１０１内の水流が完全に消失している状態であってもよいし、微小な水揺動が残存して浴槽１０１内でお湯がわずかに振動しているような状態であってもよい。中継パネル部１０２のタイマー処理部は、水揺動検知装置１００が水の揺動の収束を検知した後、時間を計測する処理を開始する（Ｓ１１３）。
【００５５】  そしてＳ１１４ａおよびＳ１１４ｂでは、入浴者が姿勢を変えるなどによる水揺動や出浴による水揺動の検知をする処理がなされる。具体的には、予め定められた閾値や期間を超えるような大きな水の揺動であった場合（Ｓ１１４ｂでＹＥＳの場合）には、出浴されたと判断をして、入浴みまもり処理を終了する。また、水揺動検知装置１００が水の揺動を検知し、かつ、予め定められた閾値や期間を超えないような比較的小さな水の揺動であった場合（Ｓ１１４ｂでＮＯの場合）には、Ｓ１１２の処理まで戻されて、静水時間の計測が初期化される（Ｓ１１３）。
【００５６】  そして時間計測処理（Ｓ１１３）の開始後、水揺動が検知されずに静水状態のまま所定期間経過をした場合（Ｓ１１４ｃでＹＥＳの場合）には、中継パネル部１０２から報知手段１０３に信号が伝達されて、介護者にアラームを出力する処理を実行する（Ｓ１１５）。
【００５７】  Ｓ１１３やＳ１１１４ｃの時間計測処理としては、設定により、水揺動の収束後３０秒以上１８０秒以下のタイミングで介護者に報知ができるようになっていてもよいし、４０秒以上１５０秒以下のタイミングで介護者に報知をするようになっていてもよい。また、５０秒以上１２０秒以下、あるいは、６０秒以上９０秒以下のタイミングで介護者に報知をするようにするのが好適であり、そのような範囲で設定できるようになっていてもよい。
【００５８】  なお、第２の実施形態においては、報知手段１０３が浴室の外部に設置されて介護者に注意音や注意音声を発するようにしているが、例えば、報知手段１０３を浴室内に置いて、入浴者に対して直接注意音や注意音声を発して動きを促すようにしてもよい。この注意音の発生後に、水の動きが検知されると、入浴者に意識があることがわかる。一方、水の動きを検知できなければ、入浴者が意識を失っているなど、何らかの問題が発生している可能性が高いことがわかるので、浴室外の介護者にさらに報知をするようにしてもよい。なお、報知手段１０３としては、このように注意音等を発生させるだけに限定されず、例えば、警告灯を点滅させるものや、「大丈夫ですか？」というような音声を出力させるようなものであってもよい。
【００５９】  なお、第２の実施形態においては、水揺動検知装置１００によって入浴や出浴の検知を行うようにしているが、このような態様には限定されず、例えば、浴室内の中継パネル部１０２において配置される赤外線センサ等の他の手段により、浴槽１０１内への入出浴を判断するようにしてもよい。
【００６０】  なお、水揺動検知装置１００による検知信号は、回路基盤４３から延びるコード（図示せず）を中継パネル部１０２に接続させて伝達されることに限定されず、例えば、外部のＰＣや報知手段１０３に接続したり、電波によってＰＣや報知手段１０３にワイヤレスで信号を送ったりするようにしてもよい。
【００６１】  本発明は、上述した実施形態に限定されるものではなく種々の変形が可能である。例えば、上記の実施形態で説明した構成は、実質的に同一の構成、同一の作用効果を奏する構成、又は同一の目的を達成することができる構成で置き換えることができる。
【符号の説明】
【００６２】１０  中空筒枠
２０  受圧板
２２  支点体
３０  ボード
３０ａ  スリット
３０ｂ  光遮蔽部０
４０  フォトインタラプタ
４１  発光素子
４２  受光素子
４３  回路基盤
４４ａ  光路スリット
５０  カバー
５０ａ  係合爪
１００  水揺動検知装置
１０１  浴槽
１０２  中継パネル部
１０３  報知手段
【図１】
2020052985.tif 000003
【図２】
2020052985.tif 000004
【図３】
2020052985.tif 000005
【図４】
2020052985.tif 000006
【図５】
2020052985.tif 000007
【図６】
2020052985.tif 000008
【図７】
2020052985.tif 000009
【図８】
2020052985.tif 000010
【図９】
2020052985.tif 000011